(57)【特許請求の範囲】
【請求項１】
気中絶縁により構成された第１の甲主母線及び第１の乙主母線からなる二重母線方式により気中絶縁外部引出ユニットを介して電力の授受を行う既設の気中絶縁開閉装置から、ガス絶縁により構成された第２の甲主母線及び第２の乙主母線の二重母線方式にリプレースされるガス絶縁開閉装置において、直列接続した２個のガス絶縁母線側断路器を上記第２の甲乙主母線間に２組を接続して、一方の組の上記ガス絶縁母線側断路器間と上記第１の甲主母線との間に第１のガス遮断器と第１のガス絶縁母線区分断路器とを接続して、上記第２の甲主母線側の上記ガス絶縁母線側断路器と上記第１のガス遮断器と上記第１のガス絶縁母線区分断路器とで第１のガス絶縁母線区分ユニットを構成し、他方の組の上記ガス絶縁母線側断路器間と上記第１の乙主母線との間に第２のガス遮断器と第２のガス絶縁母線区分断路器とを接続して、上記第２の乙主母線側の上記ガス絶縁母線側断路器と上記第２のガス遮断器と上記第２のガス絶縁母線区分断路器とで第２のガス絶縁母線区分ユニットを構成し、上記リプレースが終了後、上記第１の甲主母線から分離した上記第１のガス絶縁母線区分ユニットと上記第２の乙主母線側のガス絶縁母線側断路器と、及び上記第１の乙主母線から分離した上記第２のガス絶縁母線区分ユニットと上記第２の甲主母線側のガス絶縁母線側断路器とを、それぞれガス絶縁外部引出ユニットとして流用することを特徴とするガス絶縁開閉装置。
【発明の詳細な説明】
【０００１】
【発明の属する技術分野】
この発明は、気中絶縁開閉装置からリプレースされるガス絶縁開閉装置に関するものである。
【０００２】
【従来の技術】
図３は、例えば特開昭６３−１９４５０８号公報に記載された従来の二重母線方式の気中絶縁開閉装置から二重母線方式のガス絶縁開閉装置へのリプレース工事中の単線結線図である。
図３において、気中絶縁機器により構成された既設側の気中絶縁開閉装置１は、第１の甲主母線２ａ及び第１の乙主母線２ｂからなる二重母線方式である。２組の気中絶縁主母線切替断路器３ａ，３ｂ，４ａ，４ｂを第１の甲乙主母線２ａ，２ｂ間に接続する。そして、気中絶縁主母線切替断路器３ａ，３ｂと気中絶縁主母線切替断路器３ａ，３ｂ間に接続された第１の気中絶縁遮断器５ａと第１の気中断路器６ａとからなる気中絶縁外部引出ユニット７を介して電力の授受が行われる。また、気中絶縁主母線切替断路器４ａ，４ｂと気中絶縁主母線切替断路器４ａ，４ｂ間に接続された第２の気中絶縁遮断器５ｂと第２の気中絶縁断路器６ｂとからなる気中絶縁外部引出ユニット８を介して電力の授受が行われる。
【０００３】
一方、ガス絶縁機器により構成された新設側のガス絶縁開閉装置９は、第２の甲主母線１０ａ及び第２の乙主母線１０ｂからなる二重母線方式である。そして、第１の甲主母線２ａと第２の甲主母線１０ａとの間は、第１のガス絶縁母線区分断路器１１ａと電力ケーブル１２ａとを介して接続されている。また、第１の乙主母線２ｂと第２の乙主母線１０ｂとの間は、第２のガス絶縁母線区分断路器１１ｂと電力ケーブル１２ｂとを介して接続されている。さらに、第２の甲乙主母線１０ａ，１０ｂには、それぞれガス絶縁外部引出ユニット（図示せず）が接続されて電力の授受が行われる。このようにして、既設側の気中絶縁開閉装置１を構成している各気中絶縁機器がガス絶縁機器にリプレースされる。そして、最終的には各ガス絶縁母線区分断路器１１ａ，１１ｂ及び電力ケーブル１２ａ，１２ｂが切り離されて、ガス絶縁開閉装置９のみで電力の授受が行われる。
【０００４】
【発明が解決しようとする課題】
従来の気中絶縁開閉装置からリプレースされるガス絶縁開閉装置は以上のように構成されているので、リプレース工事中には既設側の第１の甲乙主母線２ａ，２ｂと新設側の第２の甲乙主母線１０ａ，１０ｂとの間がそれぞれ各ガス絶縁母線区分断路器１１ａ，１１ｂのみを介して接続されているため、第１の甲乙主母線２ａ，２ｂ及び第２の甲乙主母線１０ａ，１０ｂのいずれかの母線事故時に両者に影響が発生して波及範囲が大きくなる恐れがあるという問題点があった。
さらに、リプレース工事中に設置した各ガス絶縁母線区分断路器１１ａ，１１ｂを新設側のガス絶縁機器として流用することができないので、不経済であるという問題点があった。
この発明は以上のような問題点を解消するためになされたもので、母線事故時の波及範囲を縮小化することができるガス絶縁開閉装置を提供することを目的とするものである。
さらに、リプレース工事中のガス絶縁機器を新設側に流用することができるガス絶縁開閉装置を提供することを目的とするものである。
【０００５】
【課題を解決するための手段】
この発明に係わるガス絶縁開閉装置は、気中絶縁により構成された第１の甲主母線及び第１の乙主母線からなる二重母線方式により気中絶縁外部引出ユニットを介して電力の授受を行う既設の気中絶縁開閉装置から、ガス絶縁により構成された第２の甲主母線及び第２の乙主母線の二重母線方式にリプレースされるガス絶縁開閉装置において、直列接続した２個のガス絶縁母線側断路器を第２の甲乙主母線間に２組を接続して、一方の組のガス絶縁母線側断路器間と第１の甲主母線との間に第１のガス遮断器と第１のガス絶縁母線区分断路器とを接続して、第２の甲主母線側のガス絶縁母線側断路器と第１のガス遮断器と第１のガス絶縁母線区分断路器とで第１のガス絶縁母線区分ユニットを構成し、他方の組のガス絶縁母線側断路器間と第１の乙主母線との間に第２のガス遮断器と第２のガス絶縁母線区分断路器とを接続して、第２の乙主母線側のガス絶縁母線側断路器と第２のガス遮断器と第２のガス絶縁母線区分断路器とで第２のガス絶縁母線区分ユニットを構成し、リプレースが終了後、第１の甲主母線から分離した第１のガス絶縁母線区分ユニットと第２の乙主母線側のガス絶縁母線側断路器と、及び第１の乙主母線から分離した第２のガス絶縁母線区分ユニットと第２の甲主母線側のガス絶縁母線側断路器とを、それぞれガス絶縁外部引出ユニットとして流用するものである。
【０００６】
【発明の実施の形態】
実施の形態１．
図１は実施の形態１における二重母線方式の気中絶縁開閉装置から二重母線方式のガス絶縁開閉装置へのリプレース工事中の単線結線図である。図１において、１３ａ，１３ｂはそれぞれ気中絶縁機器により構成された二重母線方式の第１の甲主母線及び第１の乙主母線、１４ａ，１４ｂ，１５ａ，１５ｂはそれぞれ第１の甲乙主母線１３ａ，１３ｂ間に直列接続された２組の気中絶縁主母線切替断路器である。１６ａは第１の気中絶縁遮断器で、気中絶縁主母線切替断路器１４ａ，１４ｂ間と接続されている。１７ａは第１の気中絶縁引出断路器で、第１の気中絶縁遮断器１６ａと直列接続されている。１６ｂは第２の気中絶縁遮断器で、気中絶縁主母線切替断路器１５ａ，１５ｂ間と接続されている。１７ｂは第２の引出断路器で、第２の気中絶縁遮断器１６ｂと直列接続されている。なお、それぞれ第１の気中絶縁遮断器１６ａと第１の気中絶縁引出断路器１７ａ，及び第２の気中絶縁遮断器１６ｂと第２の気中絶縁引出断路器１７ｂとで気中絶縁外部引出ユニット１８，１９を構成している。
【０００７】
さらに第１の甲乙主母線１３ａ，１３ｂと気中絶縁主母線切替断路器１４ａ，１４ｂ，１５ａ，１５ｂと気中絶縁外部引出ユニット１８，１９とで気中絶縁開閉装置２０を構成している。
２１ａ，２１ｂはガス絶縁機器により構成された二重母線方式の第２の甲主母線及び第２の乙主母線、２２ａ，２２ｂ，２３ａ，２３ｂはそれぞれ第２の甲乙主母線２１ａ，２１ｂ間に直列接続されたガス絶縁母線側断路器である。２４ａは第１のガス遮断器で、ガス絶縁母線側断路器２２ａ，２２ｂ間と接続されている。２５ａは第１のガス絶縁母線区分断路器で、第１のガス遮断器２４ａと直列接続されている。２４ｂは第２のガス遮断器で、ガス絶縁母線側断路器２３ａ，２３ｂ間と接続されている。２５ｂは第２のガス絶縁母線区分断路器で、第２のガス遮断器２４ｂと直列接続されている。
【０００８】
なお、第２の甲主母線２１ａ側のガス絶縁母線側断路器２２ａと第１のガス遮断器２４ａと第１のガス絶縁母線区分断路器２５ａとで第１のガス絶縁母線区分ユニット２６が構成され、第２の乙主母線２１ｂ側のガス絶縁母線側断路器２３ｂと第２のガス遮断器２４ｂと第２のガス絶縁母線区分断路器２５ｂとで第２のガス絶縁母線区分ユニット２７が構成されている。
さらに、第２の甲乙主母線２１ａ，２１ｂとガス絶縁母線側断路器２２ｂ，２３ａ，とガス絶縁母線区分ユニット２６，２７とでガス絶縁開閉装置２８を構成している。２９ａは第１の甲主母線１３ａと第１のガス絶縁母線区分ユニット２６との間を接続した電力ケーブル等の接続母線、２９ｂは第１の乙主母線１３ｂと第２のガス絶縁母線区分ユニット２７との間を接続した電力ケーブル等の接続母線である。
【０００９】
次にリプレース工事の手順について説明する。図１において、新設側のガス絶縁開閉装置２８は既設側の気中絶縁開閉装置２０に隣接して設置される。まず、既設側の第１の甲乙主母線１３ａ，１３ｂと新設側の第２の甲乙主母線２１ａ，２１ｂ間をそれぞれガス絶縁母線側断路器２２ｂ，２３ａ、ガス絶縁母線区分ユニット２６，２７及び接続母線２９ａ，２９ｂを介して接続する。この状態では気中絶縁開閉装置２０から気中絶縁外部引出ユニット１８，１９を介して電力の授受が行われている。そして、既設側の気中絶縁外部引出ユニット１８，１９に対応したガス絶縁引出ユニット（図示せず）を新設側に設置する。このように、既設側に設置されている気中絶縁引出ユニット１８，１９以外の他の気中絶縁引出ユニット（図示せず）についても、順次対応した新設側のガス絶縁引出ユニット（図示せず）を設置していく。この段階で第１の甲乙主母線１３ａ，１３ｂ及び第２の甲乙主母線２１ａ，２１ｂのいずれかで母線事故が発生した場合には、ガス遮断器２４ａ，２４ｂが動作して系統の保護が行われる。そして、最後に接続母線２９ａ，２９ｂを切り離すことにより、気中絶縁開閉装置２０からガス絶縁開閉装置２８へのリプレース工事が完了する。この時点で、ガス絶縁母線区分ユニット２６，２７は電力の授受を行うガス絶縁外部引出ユニットとして流用する。
【００１０】
以上のように、第１の甲乙主母線１３ａ，１３ｂと第２の甲乙主母線２１ａ，２１ｂとの間に各ガス絶縁母線区分ユニット２６，２７を接続したことにより、リプレース工事中における母線事故に対して波及範囲を縮小化するので、系統の信頼性の向上を図ることができる。
さらに、リプレース工事中に設置したガス絶縁母線側断路器２２ｂ，２３ａ及びガス絶縁母線区分ユニット２６，２７をガス絶縁外部引出ユニットとして流用することにより、リプレース工事におけるスペース及びガス絶縁機器を有効に活用することができる。
【００１１】
実施例１．
図２は実施例１における単母線方式の気中絶縁開閉装置から単母線方式のガス絶縁開閉装置へのリプレース工事中の単線結線図である。図２において、３０は気中絶縁機器により構成された単母線方式の第１の主母線、３１は第１の主母線３０に接続された気中絶縁母線側断路器である。３２は気中絶縁遮断器で、気中絶縁母線側断路器３１と接続されている。３３は気中絶縁引出断路器で、気中絶縁遮断器３２と接続されている。なお、気中絶縁遮断器３２と気中絶縁引出断路器３３とで気中絶縁外部引出ユニット３４が構成されている。そして、気中絶縁母線側断路器３１と気中絶縁外部引出ユニット３４との回路が複数個設置されている。また、第１の主母線３０と気中絶縁母線側断路器３１と気中絶縁外部引出ユニット３４とで気中絶縁開閉装置３５が構成されている。そして、気中絶縁外部引出ユニット３４が第１の主母線３０に複数個接続されて電力の授受が行われる。
【００１２】
３６はガス絶縁機器により構成された単母線方式の第２の主母線、３７は第２の主母線３６に接続されたガス絶縁母線側断路器である。３８はガス遮断器で、ガス絶縁母線側断路器３７と接続されている。３９はガス絶縁母線区分断路器で、ガス遮断器３８と接続されている。なお、ガス絶縁母線側断路器３７とガス遮断器３８とガス絶縁母線区分断路器３９とでガス絶縁母線区分ユニット４０が構成されている。また、第２の主母線３６とガス絶縁母線区分ユニット４０とでガス絶縁開閉装置４１が構成されている。４２は第１の主母線３０とガス絶縁母線区分ユニット４０との間を接続した電力ケーブル等の接続母線である。
次にリプレース工事の手順について説明する。実施の形態１と同様に新設側のガス絶縁開閉装置４１は既設側の気中絶縁開閉装置３５に隣接して設置される。この状態では複数のガス絶縁外部引出ユニット３４を介して電力の授受が行われている。そして、既設側の複数の気中絶縁外部引出ユニット３４に対応したガス絶縁外部引出ユニット（図示せず）を順次新設側のガス絶縁開閉装置４１に設置していく。この段階で第１の主母線３０及び第２の主母線３６のいずれかで母線事故が発生した場合には、ガス遮断器３８が動作して系統の保護が行われる。そして、最後に接続母線４２を切り離すことにより、気中絶縁開閉装置３０からガス絶縁開閉装置４１へのリプレース工事が完了する。この時点で、ガス絶縁母線区分ユニット４０をガス絶縁外部引出ユニットとして流用して、電力の授受を行うようにする。
【００１３】
以上のように、新設側の第２の主母線３６と既設側の第１の主母線３０との間にガス絶縁母線区分ユニット４０を接続したことにより、リプレース工事中における母線事故に対して波及範囲を縮小化するので、系統の信頼性の向上を図ることができる。
さらに、リプレース工事中に設置したガス絶縁母線区分ユニット４０をガス絶縁外部引出ユニットとして流用することにより、リプレース工事におけるスペース及びガス絶縁機器を有効に活用することができる。
【００１４】
【発明の効果】
この発明によれば、直列接続した２個のガス絶縁母線側断路器を第２の甲乙主母線間に２組を接続して、一方の組のガス絶縁母線側断路器間と第１の甲主母線との間に第１のガス遮断器と第１のガス絶縁母線区分断路器とを接続して、第２の甲主母線側のガス絶縁母線側断路器と第１のガス遮断器と第１のガス絶縁母線区分断路器とで第１のガス絶縁母線区分ユニットを構成し、他方の組のガス絶縁母線側断路器間と第１の乙主母線との間に第２のガス遮断器と第２のガス絶縁母線区分断路器とを接続して、第２の乙主母線側のガス絶縁母線側断路器と第２のガス遮断器と第２のガス絶縁母線区分断路器とで第２のガス絶縁母線区分ユニットを構成し、リプレースが終了後、第１の甲主母線から分離した第１のガス絶縁母線区分ユニットと第２の乙主母線側のガス絶縁母線側断路器と、及び第１の乙主母線から分離した第２のガス絶縁母線区分ユニットと第２の甲主母線側のガス絶縁母線側断路器とを、それぞれガス絶縁外部引出ユニットとして流用するようにしたことにより、リプレース工事中における母線事故に対して波及範囲を縮小化するので、系統の信頼性の向上を図ることができる。
また、リプレース工事におけるスペース及びガス絶縁機器を有効に活用することができる。
【図面の簡単な説明】
【図１】  この発明の実施の形態１における二重母線方式の気中絶縁開閉装置から二重母線方式のガス絶縁開閉装置へのリプレース工事中の単線結線図である。
【図２】  この発明の実施例１における単母線方式の気中絶縁開閉装置から単母線方式のガス絶縁開閉装置へのリプレース工事中の単線結線図である。
【図３】  従来の二重母線方式の気中絶縁開閉装置から二重母線方式のガス絶縁開閉装置へのリプレース工事中の単線結線図である。
【符号の説明】
１３ａ  第１の甲主母線、１３ｂ  第１の乙主母線、
１８，１９  気中絶縁外部引出ユニット、２０，３５  気中絶縁開閉装置、
２１ａ  第２の甲主母線、２１ｂ  第２の乙主母線、
２２ａ，２２ｂ，２３ａ，２３ｂ  ガス絶縁母線側断路器、
２４ａ  第１のガス遮断器、２４ｂ  第２のガス遮断器、
２５ａ  第１のガス絶縁母線区分断路器、
２５ｂ  第２のガス絶縁母線区分断路器、
２６  第１のガス絶縁母線区分ユニット、
２７  第２のガス絶縁母線区分ユニット、３０  第１の主母線、
３４  気中絶縁外部引出ユニット、３６  第２の主母線、
３７  ガス絶縁母線側断路器、３８  ガス遮断器、
３９  ガス絶縁母線区分断路器、４０  ガス絶縁母線区分ユニット。
【図１】
0003990528.tif 000002
【図２】
0003990528.tif 000003
【図３】
0003990528.tif 000004